(57)【特許請求の範囲】
【請求項１】
所定の画像読取領域における原稿からの反射光に基づいて画像読取りを行う画像読取装置であって、
前記画像読取領域における原稿に光を照射する光照射部と、
前記光照射部によって光が照射された原稿からの反射光を結像させる光学系と、
前記光学系によって結像された光学像を電気信号に変換する光電変換部と、を備え、
前記光学系は、
原稿からの反射光を前記光電変換部へ反射し、前記光電変換部に結像させる反射ミラー部であって、主走査方向に連続して設けられる第１反射領域及び第２反射領域を有する反射ミラー部と、
前記反射ミラー部から前記光電変換部への結像光路上に配置されるフレア光規制絞り部であって、遮光性を有するフレア光規制遮光部と、前記フレア光規制遮光部を貫通して形成される、前記第１反射領域及び前記第２反射領域の各々によって反射された光を通過させる第１フレア光規制通過孔及び第２フレア光規制通過孔と、を有するフレア光規制絞り部と、
前記結像光路上において、前記フレア光規制絞り部と前記光電変換部との間に配置される光束規制絞り部であって、遮光性を有する光束規制遮光部と、前記光束規制遮光部を貫通して形成される、前記第１フレア光規制通過孔及び前記第２フレア光規制通過孔の各々を通過した光を通過させる第１光束規制通過孔及び第２光束規制通過孔と、を有する光束規制絞り部と、を含み、
前記光電変換部は、
前記第１光束規制通過孔及び前記第２光束規制通過孔の各々を通過した光を受光する第１受光領域及び第２受光領域が前記主走査方向に沿って連続した受光面を有し、前記第１受光領域及び前記第２受光領域の各々が受光した光に基づく光学像の各々を電気信号に変換するラインイメージセンサーであり、
前記受光面の前記主走査方向に沿った長さが、前記画像読取領域の前記主走査方向に沿った長さ以上に設定され、
前記反射ミラー部は、原稿からの反射光を倒立結像させるテレセントリック光学系であり、
前記反射ミラー部における前記第１反射領域及び前記第２反射領域の各々は、所定の縮小倍率で縮小された倒立像からなる光学像を、前記受光面における前記第１受光領域及び前記第２受光領域の各々に結像させるように構成され、
前記受光面において、前記第１受光領域と前記第２受光領域との境界部分に、遮光性を有する遮光壁が設けられている、画像読取装置。
【請求項２】
請求項１に記載の画像読取装置において、
前記反射ミラー部と前記フレア光規制絞り部及び前記光束規制絞り部とは、一体に形成されている、画像読取装置。
【請求項３】
請求項２に記載の画像読取装置において、
前記第１受光領域及び前記第２受光領域の各々に結像された光学像の各々に基づく、前記光電変換部による電気信号に応じて、原稿に記録された画像に対応した画像データを生成する画像データ生成部を、更に備え、
前記画像データ生成部は、前記第１受光領域及び前記第２受光領域の各々に結像された光学像の各々に対して処理を行う処理部として、
前記縮小倍率の逆数となる拡大倍率で拡大する拡大処理部と、
前記倒立像を反転して正立像とする反転処理部と、
前記拡大処理部及び前記反転処理部による処理後の各像を結合する結合処理部と、を含む、画像読取装置。
【発明の詳細な説明】
【技術分野】
【０００１】
本発明は、原稿からの反射光に基づいて画像読取りを行う画像読取装置に関する。
【背景技術】
【０００２】
従来、コンタクトガラスからの反射光に基づいて画像読取りを行う画像読取装置を備えた複写機、ファクシミリ、スキャナー、ＭＦＰ等の画像形成装置が知られている。この種の画像読取装置は、一般的に、縮小光学系タイプの画像読取装置と、等倍光学系タイプの画像読取装置とに大別される。
【０００３】
縮小光学系タイプの画像読取装置は、通常、複数のミラーと１つの光学レンズとを備え、コンタクトガラスからの反射光をミラーにて光学レンズに導き、光電変換部として機能するイメージセンサーに縮小光学像を結像させて画像読取りを行う。縮小光学系タイプの画像読取装置に用いられるイメージセンサーの主走査方向における長さは、コンタクトガラスの主走査方向における画像読取領域の長さの１／５〜１／９程度である。
【０００４】
一方、等倍光学系タイプの画像読取装置は、通常、複数のロッドレンズがアレイ状に配列されたロッドレンズアレイを備え、コンタクトガラスからの反射光を該コンタクトガラスに近接したロッドレンズアレイにてイメージセンサーに等倍光学像を結像させて画像読取りを行う（特許文献１参照）。等倍光学系タイプの画像読取装置に用いられるイメージセンサーでは、原稿とイメージセンサーとの距離が変動すると、各ロッドレンズの像倍率に差異が生じ、読取り画像に像滲みによる画像ボケが発生するという不具合が生じやすい。また、結像光学系としてレンズを用いた場合、ロッドレンズアレイの主走査方向における長さは、コンタクトガラスの主走査方向における画像読取領域の長さと同程度である。
【０００５】
等倍光学系タイプの画像読取装置は、画像読み取り位置における原稿からイメージセンサーまでの距離で表される共役長ＴＣが１０〜２０ｍｍ程度と短く、共役長ＴＣが２００〜５００ｍｍ程度の縮小光学系タイプの画像読取装置と比較すると、装置の小型化が可能である。反面、等倍光学系タイプの画像読取装置は、結像光学系としてロッドレンズアレイを用いるため、画像読み取り位置において原稿がコンタクトガラスから浮いた部分などの原稿位置ずれ部分が存在すると、ロッドレンズアレイを用いる波長の光は、屈折率の違いから異なる距離で焦点を結ぶので、色が滲んだり、中央部と周辺部で倍率が異なって結像し、色収差が発生する。このような色収差の発生を抑止するためには、色収差補正のための複数のレンズが必要となり、光学系を構成する部品の部品点数が多くなってしまう。
【０００６】
上記の問題を解決する画像読取装置として、複数の反射ミラーがアレイ状に配列された反射ミラーアレイを結像光学系に用いた画像読取装置が提案されている（特許文献２参照）。特許文献２に開示される画像読取装置は、コンタクトガラスからの反射光を反射ミラーアレイにてイメージセンサーに縮小倒立像を結像させて画像読取りを行う。
【先行技術文献】
【特許文献】
【０００７】
【特許文献１】特開２００３−１２１６０８号公報
【特許文献２】米国特許出願公開第２０１０／０００２２７３号明細書
【発明の概要】
【発明が解決しようとする課題】
【０００８】
しかしながら、特許文献２に開示される画像読取装置では、反射ミラーアレイを構成する各反射ミラーにて反射された光を受光する、結像光学像の縮小倍率に対応したセルサイズの複数の光電変換素子がベース基板上に離散的に配置された、特殊なイメージセンサーを用いる必要がある。画像読取装置において特殊なイメージセンサーを用いることは、複数の受光領域が連続的に設けられてなる汎用性の高いラインイメージセンサーを用いる場合と比較して、コストを上昇させることになる。加えて、上記の特殊なイメージセンサーとした場合、光電変換素子が離散的に配置されているので、各反射ミラーにて反射された光に対する受光面積が小さなものとなる。そのため、画像読取装置における画像読取速度を高水準に維持するためには、コンタクトガラスに対して高照度で光を照射可能な光源を用いる必要があり、省エネルギー化を図る装置構成とすることが困難となる。
【０００９】
本発明の目的は、反射光に基づいて画像読取りを行う画像読取装置において、結像光学系における色収差の発生が抑止され、且つ、光学像が結像されるイメージセンサーとして汎用性の高いラインイメージセンサーを備えて、省エネルギー化を図ることが可能な画像読取装置を提供することにある。
【課題を解決するための手段】
【００１０】
本発明の一の局面に係る画像読取装置は、所定の画像読取領域における原稿からの反射光に基づいて画像読取りを行う画像読取装置であって、前記画像読取領域における原稿に光を照射する光照射部と、前記光照射部によって光が照射された原稿からの反射光を結像させる光学系と、前記光学系によって結像された光学像を電気信号に変換する光電変換部と、を備える。前記光学系は、原稿からの反射光を前記光電変換部へ反射し、前記光電変換部に結像させる反射ミラー部であって、主走査方向に連続して設けられる第１反射領域及び第２反射領域を有する反射ミラー部と、前記反射ミラー部から前記光電変換部への結像光路上に配置されるフレア光規制絞り部であって、遮光性を有するフレア光規制遮光部と、前記フレア光規制遮光部を貫通して形成される、前記第１反射領域及び前記第２反射領域の各々によって反射された光を通過させる第１フレア光規制通過孔及び第２フレア光規制通過孔と、を有するフレア光規制絞り部と、前記結像光路上において、前記フレア光規制絞り部と前記光電変換部との間に配置される光束規制絞り部であって、遮光性を有する光束規制遮光部と、前記光束規制遮光部を貫通して形成される、前記第１フレア光規制通過孔及び前記第２フレア光規制通過孔の各々を通過した光を通過させる第１光束規制通過孔及び第２光束規制通過孔と、を有する光束規制絞り部と、を含む。前記光電変換部は、前記第１光束規制通過孔及び前記第２光束規制通過孔の各々を通過した光を受光する第１受光領域及び第２受光領域が前記主走査方向に沿って連続した受光面を有し、前記第１受光領域及び前記第２受光領域の各々が受光した光に基づく光学像の各々を電気信号に変換するラインイメージセンサーであり、前記受光面の前記主走査方向に沿った長さが、前記画像読取領域の前記主走査方向に沿った長さ以上に設定されている。前記反射ミラー部は、原稿からの反射光を倒立結像させるテレセントリック光学系である。前記反射ミラー部における前記第１反射領域及び前記第２反射領域の各々は、所定の縮小倍率で縮小された倒立像からなる光学像を、前記受光面における前記第１受光領域及び前記第２受光領域の各々に結像させるように構成され、前記受光面において、前記第１受光領域と前記第２受光領域との境界部分に、遮光性を有する遮光壁が設けられている。
【００１１】
この画像読取装置によれば、画像読取領域における原稿からの反射光に基づいて画像読取りを行う。画像読取領域における原稿からの反射光を光電変換部に結像させる光学系は、反射ミラー部と、該反射ミラー部から光電変換部への結像光路上に配置されるフレア光規制絞り部と、前記結像光路上においてフレア光規制絞り部と光電変換部との間に配置される光束規制絞り部とを含む。画像読取領域における原稿からの反射光を、反射ミラー部における第１反射領域及び第２反射領域の各々によって光電変換部へ反射させる構成であるので、従来技術のレンズを用いた結像光学系のような色収差が発生することを抑止することができる。
【００１２】
また、光電変換部は、反射ミラー部の第１反射領域及び第２反射領域の各々によって反射された光を受光するための第１受光領域及び第２受光領域が、主走査方向に沿って連続した受光面を有する。そして、光電変換部において、受光面の前記主走査方向に沿った長さは、画像読取領域の前記主走査方向に沿った長さ以上に設定されている。すなわち、光電変換部は、光電変換素子がベース基板上に離散的に配置された、従来技術の画像読取装置において用いられる特殊なイメージセンサーではなく、汎用性の高いラインイメージセンサーである。光電変換部において、受光面を構成する第１受光領域及び第２受光領域が連続的に配置されているので、光電変換素子が離散的に配置された従来技術の特殊なイメージセンサーと比較して、反射ミラー部における第１反射領域及び第２反射領域の各々によって反射された光に対する受光面積が大きなものとなる。そのため、原稿載置面に対して高照度で光を照射可能な光照射部とする必要がなく、省エネルギー化を図ることが可能な画像読取装置とすることができる。
【００１３】
さらにまた、反射ミラー部から光電変換部への結像光路上にはフレア光規制絞り部及び光束規制絞り部が配置されているので、反射ミラー部の第１反射領域及び第２反射領域の各々によって反射された光を、各絞り部の各通過孔の各々を通過させて、光電変換部における受光面の第１受光領域及び第２受光領域の各々に導くことができる。そのため、光学系によって光学像が結像される光電変換部として、第１受光領域及び第２受光領域が連続的に配置された受光面を有する、汎用性の高いラインイメージセンサーを用いても、反射ミラー部の第１反射領域及び第２反射領域の各々によって反射された光を、第１受光領域及び第２受光領域の各々において結像させることができる。
【００１５】
また、反射ミラー部がテレセントリック光学系であるので、反射ミラー部の第１反射領域及び第２反射領域の各々によって反射され、フレア光規制絞り部の第１フレア光規制通過孔及び第２フレア光規制通過孔と、光束規制絞り部の第１光束規制通過孔及び第２光束規制通過孔との中心を通過する光である主光線が、光軸と平行（すなわち、光電変換部の受光面に対して垂直）となる。そのため、画像読取領域において原稿の浮いた部分などの原稿位置ずれ部分が存在する場合であっても、光電変換部の受光面における第１受光領域及び第２受光領域の各々にて結像される光学像の結像倍率に差異が生じにくい。その結果、読取り画像に像滲みによる画像ボケが発生することを抑止することができ、被写界深度の深い画像読取装置とすることができる。
【００１７】
また、光電変換部の受光面において、第１受光領域と第２受光領域との境界部分に遮光壁が設けられているので、反射ミラー部の第１反射領域にて反射されてフレア光規制絞り部の第１フレア光規制通過孔と光束規制絞り部の第１光束規制通過孔とを通過した光の一部が第２受光領域に入射することを抑止し、反射ミラー部の第２反射領域にて反射されてフレア光規制絞り部の第２フレア光規制通過孔と光束規制絞り部の第２光束規制通過孔とを通過した光の一部が第１受光領域に入射することを抑止することができる。そのため、読取り画像においてゴースト像が形成されることを抑止することができる。
【００１８】
上記の画像読取装置において、前記反射ミラー部と前記フレア光規制絞り部及び前記光束規制絞り部とは、一体に形成されていることが望ましい。
【００１９】
この画像読取装置によれば、反射ミラー部とフレア光規制絞り部及び光束規制絞り部とが一体に形成された構成とすることによって、光電変換部に光学像を結像させる光学系において、反射ミラー部、フレア光規制絞り部及び光束規制絞り部の３者間の位置関係を高精度に保つことができるとともに、画像読取装置の使用状況に応じて温度変化が生じた場合に、当該３者間で、熱膨張又は熱収縮の差異が生じることを抑止することができる。そのため、反射ミラー部、フレア光規制絞り部及び光束規制絞り部によって構成される光学系において、光電変換部に対する結像性能の劣化を抑止することができる。
【００２０】
上記の画像読取装置において、前記第１受光領域及び前記第２受光領域の各々に結像された光学像の各々に基づく、前記光電変換部による電気信号に応じて、原稿に記録された画像に対応した画像データを生成する画像データ生成部を、更に備える。前記画像データ生成部は、前記第１受光領域及び前記第２受光領域の各々に結像された光学像の各々に対して処理を行う処理部として、前記縮小倍率の逆数となる拡大倍率で拡大する拡大処理部と、前記倒立像を反転して正立像とする反転処理部と、前記拡大処理部及び前記反転処理部による処理後の各像を結合する結合処理部と、を含むことが望ましい。
【００２１】
この画像読取装置によれば、画像データ生成部において、光電変換部の第１受光領域及び第２受光領域の各々にて結像された光学像の各々について、拡大処理部が縮小倍率の逆数となる拡大倍率で拡大し、反転処理部が倒立像を反転して正立像とし、結合処理部が拡大及び反転処理後の各像を結合する。このような画像データ生成部における各処理によって、原稿に記録された画像に対応した画像データを生成することができる。
【発明の効果】
【００２２】
本発明によれば、原稿からの反射光に基づいて画像読取りを行う画像読取装置において、結像光学系における色収差の発生が抑止され、且つ、光学像が結像されるイメージセンサーとして汎用性の高いイメージセンサーを備えて、省エネルギー化を図ることが可能な画像読取装置を提供することができる。
【図面の簡単な説明】
【００２３】
【図１】本発明の第１実施形態に係る画像読取装置の概略構成を示す断面図である。
【図２】図１に示す画像読取装置における光学構造体及び光電変換部の構成を示す斜視図である。
【図３】図２に示す光学構造体の光電変換部に対向する側から見た斜視図である。
【図４】図１に示す画像読取装置における結像光路を示す光路図である。
【図５】本発明の第２実施形態に係る画像読取装置の概略構成を示す断面図である。
【図６】図５に示す画像読取装置における光学構造体及び光電変換部の構成を示す斜視図である。
【図７】図６に示す光学構造体の光電変換部に対向する側から見た斜視図である。
【図８】図５に示す画像読取装置における結像光路を示す光路図である。
【図９】光学構造体における反射ミラーアレイによって反射された結像光とフレア光との関係を説明するための模式図である。
【図１０】光学構造体におけるフレア光規制絞り部の基準位置からのズレ量と基準結像光量に対する光量割合との関係を示すグラフである。
【発明を実施するための形態】
【００２４】
以下、本発明の一実施形態に係る画像読取装置について図面に基づいて説明する。図１は、本発明の第１実施形態に係る画像読取装置１の概略構成を示す断面図である。本実施形態に係る画像読取装置１は、所定の画像読取領域における原稿からの反射光に基づいて画像読取りを行う装置である。図１に示す例において、画像読取装置１は、コンタクトガラス７の原稿載置面７１における画像読取領域に載置された原稿８からの反射光に基づいて、画像読取りを行う。なお、コンタクトガラス７は、矩形板状に形成され、枠状のコンタクトガラス支持部７２によって支持される。コンタクトガラス支持部７２によってコンタクトガラス７が支持された状態において、コンタクトガラス支持部７２の内側領域が、コンタクトガラス７の原稿載置面７１における画像読取領域となる。画像読取装置１は、例えば、複写機や複合機、ファクシミリ、スキャナー、ＭＦＰ等の画像形成装置において、画像読取機構を実行する装置として搭載される。
【００２５】
画像読取装置１は、キャリッジ２と、光照射部３と、光学系４と、光電変換部５と、画像データ生成部６と、を備える。
【００２６】
キャリッジ２は、例えば合成樹脂で構成された成形品である。キャリッジ２は、コンタクトガラス７の原稿載置面７１に対向して配置され、原稿載置面７１に沿った所定の第１方向（例えば、副走査方向であり、コンタクトガラス７の長辺に沿った方向）に移動可能である。キャリッジ２は、ステッピングモーター等の駆動装置を用いた移動機構によって前記第１方向へ移動可能に構成されている。キャリッジ２は、キャリッジ本体２１と蓋体２２とを含む。キャリッジ本体２１は、上方側が開口して内部空間を有し、原稿載置面７１に平行且つ前記第１方向に垂直な第２方向（主走査方向）に長い直方体形状に形成されている。このキャリッジ本体２１は、光照射部３、光学系４及び光電変換部５を収容する。
【００２７】
キャリッジ２において、蓋体２２は、キャリッジ本体２１の上方側の開口を塞ぐように、その開口の周縁端部に取り付けられている。蓋体２２には、その長手方向（前記第２方向と同一方向）に延びる細幅の第１スリット２２１及び第２スリット２２２が形成されている。第１スリット２２１は、後述の光照射部３から出射された光をキャリッジ２の外部へ導くための貫通口である。第２スリット２２２は、コンタクトガラス７の原稿載置面７１における画像読取領域に載置された原稿８からの反射光をキャリッジ２の内部に受け入れて後述の光学系４における第１平面ミラー４２に導く貫通口である。
【００２８】
光照射部３は、キャリッジ２のキャリッジ本体２１内に配置される。この光照射部３は、コンタクトガラス７の原稿載置面７１における画像読取領域に載置された原稿８に、第１スリット２２１を介して光を照射する。光照射部３は、例えば、前記第２方向に沿って配列された複数の発光ダイオード（ＬＥＤ：Light Emitting Diode）を含んで構成される。
【００２９】
光学系４は、キャリッジ２のキャリッジ本体２１内に配置される。この光学系４は、光照射部３によって光が照射された原稿載置面７１の画像読取領域に載置された原稿８からの反射光を、後述の光電変換部５に結像させる。本実施形態では、光学系４は、光学構造体４１と、第１平面ミラー４２と、第２平面ミラー４３とを含む。光学系４において、光学構造体４１は、反射ミラー部の一例である反射ミラーアレイ４１１と、絞り部の一例である光束規制絞り部４１２とを含む。
【００３０】
第１平面ミラー４２は、前記第２方向に沿って延びる平面状に形成された反射ミラーであり、第２スリット２２２を通過して入射される、原稿載置面７１の画像読取領域に載置された原稿８からの反射光を反射して、反射ミラーアレイ４１１に導く。第２平面ミラー４３は、前記第２方向に沿って延びる平面状に形成された反射ミラーであり、反射ミラーアレイ４１１によって反射された光を反射して、光束規制絞り部４１２に導く。
【００３１】
本実施形態では、光学構造体４１において反射ミラーアレイ４１１と光束規制絞り部４１２とは、合成樹脂によって一体に形成されている。反射ミラーアレイ４１１と光束規制絞り部４１２とが一体に形成された光学構造体４１とすることによって、光電変換部５に光学像を結像させる光学系４において、反射ミラーアレイ４１１と光束規制絞り部４１２との位置関係を高精度に保つことができるとともに、画像読取装置１の使用状況に応じて温度変化が生じた場合に、反射ミラーアレイ４１１と光束規制絞り部４１２との間で、熱膨張又は熱収縮の差異が生じることを抑止することができる。そのため、反射ミラーアレイ４１１と光束規制絞り部４１２とを含む光学構造体４１を備える光学系４において、光電変換部５に対する結像性能の劣化を抑止することができる。
【００３２】
本実施形態の画像読取装置１における、光学構造体４１及び光電変換部５の構成について、図２乃至図４を参照して詳細に説明する。図２は、図１に示す画像読取装置１における光学構造体４１及び光電変換部５の構成を示す斜視図である。図３は、図２に示す光学構造体４１の光電変換部５に対向する側から見た斜視図である。図４は、図１に示す画像読取装置１における結像光路を示す光路図である。なお、光学構造体４１において反射ミラーアレイ４１１は光を反射するものであるが、図４に示す光路図では、反射ミラーアレイ４１１が光を透過するものとして示されている。
【００３３】
光学構造体４１において、反射ミラーアレイ４１１は、第１平面ミラー４２によって導かれた、原稿載置面７１の画像読取領域に載置された原稿８からの反射光を、第２平面ミラー４３を介して光電変換部５へ反射し、光電変換部５に結像させる。反射ミラーアレイ４１１は、図２に示すように、前記第２方向にアレイ状に連続して設けられる曲面状の複数の反射領域を有する。反射ミラーアレイ４１１は、反射領域として、少なくとも第１反射領域４１１ａ及び第２反射領域４１１ｂを有する構成であればよく、反射領域の数は限定されるものではない。図２に示す例では、反射ミラーアレイ４１１は、第１反射領域４１１ａ、第２反射領域４１１ｂ、第３反射領域４１１ｃ、第４反射領域４１１ｄ、第５反射領域４１１ｅ及び第６反射領域４１１ｆの６つの反射領域が、前記第２方向にアレイ状に連続して設けられてなる。
【００３４】
光学構造体４１において、光束規制絞り部４１２は、反射ミラーアレイ４１１から光電変換部５への結像光路上に配置される。光束規制絞り部４１２は、反射ミラーアレイ４１１の上面に、反射ミラーアレイ４１１と一体に形成されている。光束規制絞り部４１２は、前記第２方向に沿って延びて形成される遮光性を有する光束規制遮光部４１２Ａと、該光束規制遮光部４１２Ａを貫通して形成される複数の光通過孔とを有する。光束規制絞り部４１２は、光通過孔として、少なくとも第１光束規制通過孔４１２ａ（第１光通過孔）及び第２光束規制通過孔４１２ｂ（第２光通過孔）を有する構成であればよく、光通過孔の数は限定されるものではない。図２に示す例では、光束規制絞り部４１２は、反射ミラーアレイ４１１の反射領域と同一の数の６つの光通過孔として、第１光束規制通過孔４１２ａ、第２光束規制通過孔４１２ｂ、第３光束規制通過孔４１２ｃ、第４光束規制通過孔４１２ｄ、第５光束規制通過孔４１２ｅ及び第６光束規制通過孔４１２ｆが、光束規制遮光部４１２Ａを貫通して、前記第２方向に沿って配列されてなる。なお、光束規制絞り部４１２において、第１光束規制通過孔４１２ａ、第２光束規制通過孔４１２ｂ、第３光束規制通過孔４１２ｃ、第４光束規制通過孔４１２ｄ、第５光束規制通過孔４１２ｅ及び第６光束規制通過孔４１２ｆは、それぞれ、平面視の形状が円形状である。
【００３５】
光束規制絞り部４１２は、反射ミラーアレイ４１１により反射され、且つ第２平面ミラー４３により導かれた光の一部を光束規制遮光部４１２Ａによって遮光して、光束を規制する。そして、光束規制絞り部４１２において、第１光束規制通過孔４１２ａ、第２光束規制通過孔４１２ｂ、第３光束規制通過孔４１２ｃ、第４光束規制通過孔４１２ｄ、第５光束規制通過孔４１２ｅ及び第６光束規制通過孔４１２ｆは、それぞれ、反射ミラーアレイ４１１における第１反射領域４１１ａ、第２反射領域４１１ｂ、第３反射領域４１１ｃ、第４反射領域４１１ｄ、第５反射領域４１１ｅ及び第６反射領域４１１ｆの各々によって反射された光を通過させる。第１光束規制通過孔４１２ａ、第２光束規制通過孔４１２ｂ、第３光束規制通過孔４１２ｃ、第４光束規制通過孔４１２ｄ、第５光束規制通過孔４１２ｅ及び第６光束規制通過孔４１２ｆの各々を通過した光は、光電変換部５に結像される。
【００３６】
光電変換部５は、キャリッジ２のキャリッジ本体２１内に配置される。この光電変換部５は、光学系４によって結像された光学像を電気信号に変換する。光電変換部５は、前記第２方向に沿って延びるラインイメージセンサーである。光電変換部５は、第１光束規制通過孔４１２ａ、第２光束規制通過孔４１２ｂ、第３光束規制通過孔４１２ｃ、第４光束規制通過孔４１２ｄ、第５光束規制通過孔４１２ｅ及び第６光束規制通過孔４１２ｆの各々を通過した光を受光する第１受光領域５１ａ、第２受光領域５１ｂ、第３受光領域５１ｃ、第４受光領域５１ｄ、第５受光領域５１ｅ及び第６受光領域５１ｆが前記第２方向に沿って連続した受光面５１を有する。光電変換部５は、第１受光領域５１ａ、第２受光領域５１ｂ、第３受光領域５１ｃ、第４受光領域５１ｄ、第５受光領域５１ｅ及び第６受光領域５１ｆの各々が受光した光に基づく光学像の各々を、電気信号に変換する。本実施形態の光電変換部５においては、受光面５１の前記第２方向に沿った長さが、コンタクトガラス７の原稿載置面７１における画像読取領域の前記第２方向に沿った長さ以上に設定されている。
【００３７】
光電変換部５は、第１受光領域５１ａ、第２受光領域５１ｂ、第３受光領域５１ｃ、第４受光領域５１ｄ、第５受光領域５１ｅ及び第６受光領域５１ｆの各々を構成する受光素子が、前記第２方向に沿って連続的に配列されてなる。受光素子としては、例えば、ＣＭＯＳ（Complementary Metal Oxide Semiconductor）イメージセンサーやＣＣＤ（Charge Coupled Device）イメージセンサーが用いられる。なお、本実施形態の画像読取装置１において、コンタクトガラス７の原稿載置面７１から光電変換部５までの距離で表される共役長ＴＣは、１０〜２０ｍｍ程度である。
【００３８】
以上のように構成される画像読取装置１では、コンタクトガラス７の原稿載置面７１に原稿８が載置された状態で、原稿８に対してキャリッジ２が駆動装置によって第１方向へ移動される。そして、キャリッジ２の移動中に光照射部３からコンタクトガラス７の原稿載置面７１における画像読取領域に照射される光が、前記第１方向に走査される。光照射部３によって光が照射された原稿載置面７１の画像読取領域に載置された原稿８からの反射光は、第１平面ミラー４２によって光学構造体４１の反射ミラーアレイ４１１に向けて反射される。反射ミラーアレイ４１１に到達した光は、第１乃至第６反射領域４１１ａ〜４１１ｆによって第２平面ミラー４３に向けて反射される。第２平面ミラー４３に到達した光は、光学構造体４１の光束規制絞り部４１２に向けて反射される。光束規制絞り部４１２に到達した光のうち、第１乃至第６光束規制通過孔４１２ａ〜４１２ｆの各々を通過した光は、光電変換部５の受光面５１における第１乃至第６受光領域５１ａ〜５１ｆによって受光される。光電変換部５は、第１乃至第６受光領域５１ａ〜５１ｆの各々が受光した光に基づく光学像の各々を電気信号に変換し、これにより原稿８の画像が読み取られる。
【００３９】
本実施形態の画像読取装置１によれば、コンタクトガラス７の原稿載置面７１における画像読取領域に載置された原稿８からの反射光を光電変換部５に結像させる光学系４は、反射ミラーアレイ４１１と光束規制絞り部４１２とを含む光学構造体４１を備える。原稿載置面７１における画像読取領域に載置された原稿８からの反射光を、反射ミラーアレイ４１１における第１乃至第６反射領域４１１ａ〜４１１ｆの各々によって光電変換部５へ反射させる構成であるので、従来技術のレンズを用いた結像光学系のような色収差が発生することを抑止することができる。
【００４０】
また、光電変換部５は、反射ミラーアレイ４１１の第１乃至第６反射領域４１１ａ〜４１１ｆの各々によって反射された光を受光するための第１乃至第６受光領域５１ａ〜５１ｆが、前記第２方向に沿って連続した受光面５１を有する。そして、光電変換部５において、受光面５１の前記第２方向に沿った長さは、原稿載置面７１における画像読取領域の前記第２方向に沿った長さ以上に設定されている。すなわち、光電変換部５は、光電変換素子がベース基板上に離散的に配置された、従来技術の画像読取装置において用いられる特殊なイメージセンサーではなく、汎用性の高いラインイメージセンサーである。光電変換部５において、受光面５１を構成する第１乃至第６受光領域５１ａ〜５１ｆが連続的に配置されているので、光電変換素子が離散的に配置された従来技術の特殊なイメージセンサーと比較して、反射ミラーアレイ４１１における第１乃至第６反射領域４１１ａ〜４１１ｆの各々によって反射された光に対する受光面積が大きなものとなる。そのため、原稿載置面７１に対して高照度で光を照射可能な光照射部３とする必要がなく、省エネルギー化を図ることが可能な画像読取装置１とすることができる。
【００４１】
さらにまた、反射ミラーアレイ４１１から光電変換部５への結像光路上には光束規制絞り部４１２が配置されているので、反射ミラーアレイ４１１の第１乃至第６反射領域４１１ａ〜４１１ｆの各々によって反射された光を、光束規制絞り部４１２の第１乃至第６光束規制通過孔４１２ａ〜４１２ｆの各々を通過させて、光電変換部５における受光面５１の第１乃至第６受光領域５１ａ〜５１ｆの各々に導くことができる。そのため、光学系４によって光学像が結像される光電変換部５として、第１乃至第６受光領域５１ａ〜５１ｆが連続的に配置された受光面５１を有する、汎用性の高いラインイメージセンサーを用いても、反射ミラーアレイ４１１の第１乃至第６反射領域４１１ａ〜４１１ｆの各々によって反射された光を、第１乃至第６受光領域５１ａ〜５１ｆの各々において結像させることができる。
【００４２】
また、本実施形態の画像読取装置１において、光学構造体４１の反射ミラーアレイ４１１は、コンタクトガラス７の原稿載置面７１における画像読取領域に載置された原稿８からの反射光を倒立結像させるテレセントリック光学系であることが望ましい。反射ミラーアレイ４１１がテレセントリック光学系であることによって、反射ミラーアレイ４１１の第１乃至第６反射領域４１１ａ〜４１１ｆの各々によって反射され、光束規制絞り部４１２の第１乃至第６光束規制通過孔４１２ａ〜４１２ｆの各々の中心を通過する光である主光線が、光軸と平行（すなわち、光電変換部５の受光面５１に対して垂直）となる。そのため、コンタクトガラス７の原稿載置面７１において原稿８の浮いた部分などの原稿位置ずれ部分が存在する場合であっても、光電変換部５の受光面５１における第１乃至第６受光領域５１ａ〜５１ｆの各々にて結像される光学像の結像倍率に差異が生じにくい。その結果、読取り画像に像滲みによる画像ボケが発生することを抑止することができ、被写界深度の深い画像読取装置１とすることができる。
【００４３】
また、本実施形態の画像読取装置１において、光学構造体４１の反射ミラーアレイ４１１における第１乃至第６反射領域４１１ａ〜４１１ｆの各々は、所定の縮小倍率で縮小された倒立像からなる光学像を、光電変換部５の受光面５１における第１乃至第６受光領域５１ａ〜５１ｆの各々に結像させるように構成されることが望ましい。そして、図２及び図４に示すように、光電変換部５の受光面５１において、第１乃至第６受光領域５１ａ〜５１ｆの各受光領域の境界部分と、前記第２方向の両端部とに、遮光性を有する遮光壁が設けられていることが望ましい。具体的には、光電変換部５の受光面５１において、前記第２方向の一端部に第１遮光壁５２ａが設けられ、第１受光領域５１ａと第２受光領域５１ｂとの境界部分に第２遮光壁５２ｂが設けられ、第２受光領域５１ｂと第３受光領域５１ｃとの境界部分に第３遮光壁５２ｃが設けられ、第３受光領域５１ｃと第４受光領域５１ｄとの境界部分に第４遮光壁５２ｄが設けられ、第４受光領域５１ｄと第５受光領域５１ｅとの境界部分に第５遮光壁５２ｅが設けられ、第５受光領域５１ｅと第６受光領域５１ｆとの境界部分に第６遮光壁５２ｆが設けられ、前記第２方向の一端部とは反対の他端部に第７遮光壁５２ｇが設けられている。
【００４４】
光電変換部５の受光面５１において、第１乃至第７遮光壁５２ａ〜５２ｇが設けられていることによって、反射ミラーアレイ４１１の第１乃至第６反射領域４１１ａ〜４１１ｆの各々にて反射されて光束規制絞り部４１２の第１乃至第６光束規制通過孔４１２ａ〜４１２ｆの各々を通過した光の一部が、光電変換部５の受光面５１における、第１乃至第６光束規制通過孔４１２ａ〜４１２ｆの各々に対応した受光領域に隣接した受光領域に入射することを抑止することができる。そのため、読取り画像においてゴースト像が形成されることを抑止することができる。
【００４５】
具体的には、第１遮光壁５２ａは、反射ミラーアレイ４１１の第１反射領域４１１ａにて反射されて光束規制絞り部４１２の第１光束規制通過孔４１２ａを通過した光の一部が、光電変換部５の受光面５１における第１受光領域５１ａから外方に進行することを抑止する。第２遮光壁５２ｂは、反射ミラーアレイ４１１の第１反射領域４１１ａにて反射されて光束規制絞り部４１２の第１光束規制通過孔４１２ａを通過した光の一部が、光電変換部５の受光面５１における第１受光領域５１ａに隣接した第２受光領域５１ｂに入射することを抑止する。第３遮光壁５２ｃは、反射ミラーアレイ４１１の第２反射領域４１１ｂにて反射されて光束規制絞り部４１２の第２光束規制通過孔４１２ｂを通過した光の一部が、光電変換部５の受光面５１における第２受光領域５１ｂに隣接した第３受光領域５１ｃに入射することを抑止する。第４遮光壁５２ｄは、反射ミラーアレイ４１１の第３反射領域４１１ｃにて反射されて光束規制絞り部４１２の第３光束規制通過孔４１２ｃを通過した光の一部が、光電変換部５の受光面５１における第３受光領域５１ｃに隣接した第４受光領域５１ｄに入射することを抑止する。第５遮光壁５２ｅは、反射ミラーアレイ４１１の第４反射領域４１１ｄにて反射されて光束規制絞り部４１２の第４光束規制通過孔４１２ｄを通過した光の一部が、光電変換部５の受光面５１における第４受光領域５１ｄに隣接した第５受光領域５１ｅに入射することを抑止する。第６遮光壁５２ｆは、反射ミラーアレイ４１１の第５反射領域４１１ｅにて反射されて光束規制絞り部４１２の第５光束規制通過孔４１２ｅを通過した光の一部が、光電変換部５の受光面５１における第５受光領域５１ｅに隣接した第６受光領域５１ｆに入射することを抑止する。第７遮光壁５２ｇは、反射ミラーアレイ４１１の第６反射領域４１１ｆにて反射されて光束規制絞り部４１２の第６光束規制通過孔４１２ｆを通過した光の一部が、光電変換部５の受光面５１における第６受光領域５１ｆから外方に進行することを抑止する。
【００４６】
また、本実施形態の画像読取装置１は、図１に示すように、画像データ生成部６を備える。画像データ生成部６は、光電変換部５の受光面５１における第１乃至第６受光領域５１ａ〜５１ｆの各々に結像された光学像の各々に基づく、光電変換部５による電気信号に応じて、原稿８に記録された画像に対応した画像データを生成する。本実施形態において画像データ生成部６は、光電変換部５の受光面５１における第１乃至第６受光領域５１ａ〜５１ｆの各々に結像された光学像の各々に対して処理を行う処理部として、拡大処理部と、反転処理部と、結合処理部とを含む。画像データ生成部６において、拡大処理部は、光電変換部５の受光面５１における第１乃至第６受光領域５１ａ〜５１ｆの各々に結像される光学像に設定される前記縮小倍率の逆数となる拡大倍率で拡大する処理を行う。画像データ生成部６において、反転処理部は、光電変換部５の受光面５１における第１乃至第６受光領域５１ａ〜５１ｆの各々に結像される光学像となる倒立像を反転して正立像とする処理を行う。画像データ生成部６において、結合処理部は、拡大処理部及び反転処理部による処理後の各像を結合し、原稿８に記録された画像に対応した画像データを生成する処理を行う。
【００４７】
画像データ生成部６において、光電変換部５の第１乃至第６受光領域５１ａ〜５１ｆの各々にて結像された光学像の各々について、拡大処理部が縮小倍率の逆数となる拡大倍率で拡大し、反転処理部が倒立像を反転して正立像とし、結合処理部が拡大及び反転処理後の各像を結合する。このような画像データ生成部６における各処理によって、原稿８に記録された画像に対応した画像データを生成することができる。
【００４８】
図５は、本発明の第２実施形態に係る画像読取装置１の概略構成を示す断面図である。図６は、図５に示す画像読取装置１における光学構造体４１及び光電変換部５の構成を示す斜視図である。図７は、図６に示す光学構造体４１の光電変換部５に対向する側から見た斜視図である。図８は、図５に示す画像読取装置１における結像光路を示す光路図である。なお、光学構造体４１において反射ミラーアレイ４１１は光を反射するものであるが、図８に示す光路図では、反射ミラーアレイ４１１が光を透過するものとして示されている。
【００４９】
第２実施形態に係る画像読取装置１は、光学構造体４１が上述の反射ミラーアレイ４１１及び光束規制絞り部４１２に加えて、フレア光規制絞り部４１３を含むこと以外は、上述の第１実施形態に係る画像読取装置１と同様に構成される。このように第２実施形態に係る画像読取装置１は、上述の第１実施形態に係る画像読取装置１と同様の部分を有する。従って、以下の説明および図において、対応する同様の部分については同一の参照符号を付すとともに、説明を省略する。
【００５０】
本実施形態の画像読取装置１において、光学構造体４１は、反射ミラーアレイ４１１と、光束規制絞り部４１２と、フレア光規制絞り部４１３とを含む。光学構造体４１において、反射ミラーアレイ４１１は、第１平面ミラー４２によって導かれた、原稿載置面７１の画像読取領域に載置された原稿８からの反射光を、第２平面ミラー４３を介して光電変換部５へ反射し、光電変換部５に結像させる。反射ミラーアレイ４１１は、図６に示すように、第１反射領域４１１ａ、第２反射領域４１１ｂ、第３反射領域４１１ｃ、第４反射領域４１１ｄ、第５反射領域４１１ｅ及び第６反射領域４１１ｆの６つの反射領域が、前記第２方向にアレイ状に連続して設けられてなる。
【００５１】
原稿載置面７１の画像読取領域に載置された原稿８からの反射光は様々な方向へ散乱するため、第１平面ミラー４２によって反射されて反射ミラーアレイ４１１に到達した光は、第１乃至第６反射領域４１１ａ〜４１１ｆの各々に対し、様々な角度で入射する。反射ミラーアレイ４１１の第１乃至第６反射領域４１１ａ〜４１１ｆの各々に入射し、第１乃至第６反射領域４１１ａ〜４１１ｆの各々によって反射された光は、光電変換部５の受光面５１における第１乃至第６受光領域５１ａ〜５１ｆの各々に結像される。ただし、反射ミラーアレイ４１１における一の反射領域と当該一の反射領域に隣接した反射領域との境界部分に特定の角度で入射し、その境界部分で反射された光が、光電変換部５の受光面５１における当該一の反射領域に対応した受光領域に入射してしまう場合がある。このように、当該一の反射領域に隣接した反射領域との境界部分で生じた光（以下では、「フレア光」という）が、光電変換部５の受光面５１における当該一の反射領域に対応した受光領域に入射すると、受光領域に結像される光学像に基づく読取り画像にフレア現象による画像ボケが発生する。そこで、本実施形態の光学構造体４１は、光電変換部５の受光面５１における第１乃至第６受光領域５１ａ〜５１ｆの各々にフレア光が入射することを規制するフレア光規制絞り部４１３を備える。
【００５２】
光学構造体４１において、フレア光規制絞り部４１３は、反射ミラーアレイ４１１から光電変換部５への結像光路上に配置される。そして、光束規制絞り部４１２は、前記結像光路上において、フレア光規制絞り部４１３と光電変換部５との間に配置される。
【００５３】
フレア光規制絞り部４１３は、前記第２方向に沿って延びて形成される遮光性を有するフレア光規制遮光部４１３Ａと、該フレア光規制遮光部４１３Ａを貫通して形成される複数の光通過孔とを有する。フレア光規制絞り部４１３は、光通過孔として、少なくとも第１フレア光規制通過孔４１３ａ及び第２フレア光規制通過孔４１３ｂを有する構成であればよく、光通過孔の数は限定されるものではない。図６に示す例では、フレア光規制絞り部４１３は、反射ミラーアレイ４１１の反射領域と同一の数の６つの光通過孔として、第１フレア光規制通過孔４１３ａ、第２フレア光規制通過孔４１３ｂ、第３フレア光規制通過孔４１３ｃ、第４フレア光規制通過孔４１３ｄ、第５フレア光規制通過孔４１３ｅ及び第６フレア光規制通過孔４１３ｆが、フレア光規制遮光部４１３Ａを貫通して、前記第２方向に沿って配列されてなる。
【００５４】
図９は、光学構造体４１における反射ミラーアレイ４１１によって反射された結像光とフレア光との関係を説明するための模式図である。フレア光規制絞り部４１３は、反射ミラーアレイ４１１により反射され、且つ第２平面ミラー４３により導かれた光のうちのフレア光をフレア光規制遮光部４１３Ａによって遮光し、フレア光の通過を規制する。そして、フレア光規制絞り部４１３において、第１フレア光規制通過孔４１３ａ、第２フレア光規制通過孔４１３ｂ、第３フレア光規制通過孔４１３ｃ、第４フレア光規制通過孔４１３ｄ、第５フレア光規制通過孔４１３ｅ及び第６フレア光規制通過孔４１３ｆは、それぞれ、反射ミラーアレイ４１１における第１反射領域４１１ａ、第２反射領域４１１ｂ、第３反射領域４１１ｃ、第４反射領域４１１ｄ、第５反射領域４１１ｅ及び第６反射領域４１１ｆの各々によって反射され、且つ第２平面ミラー４３により導かれた光のうちのフレア光がカットされた結像光を通過させる。
【００５５】
具体的には、図９（Ａ）に示すように、第１フレア光規制通過孔４１３ａは、反射ミラーアレイ４１１における第２反射領域４１１ｂの第１反射領域４１１ａとの境界部分で生じたフレア光がフレア光規制遮光部４１３Ａによって遮光された状態で、反射ミラーアレイ４１１における第１反射領域４１１ａによって反射された結像光を通過させる。第２フレア光規制通過孔４１３ｂは、反射ミラーアレイ４１１における第１反射領域４１１ａ及び第３反射領域４１１ｃの第２反射領域４１１ｂとの境界部分で生じたフレア光がフレア光規制遮光部４１３Ａによって遮光された状態で、反射ミラーアレイ４１１における第２反射領域４１１ｂによって反射された結像光を通過させる。第３フレア光規制通過孔４１３ｃは、反射ミラーアレイ４１１における第２反射領域４１１ｂ及び第４反射領域４１１ｄの第３反射領域４１１ｃとの境界部分で生じたフレア光がフレア光規制遮光部４１３Ａによって遮光された状態で、反射ミラーアレイ４１１における第３反射領域４１１ｃによって反射された結像光を通過させる。第４フレア光規制通過孔４１３ｄは、反射ミラーアレイ４１１における第３反射領域４１１ｃ及び第５反射領域４１１ｅの第４反射領域４１１ｄとの境界部分で生じたフレア光がフレア光規制遮光部４１３Ａによって遮光された状態で、反射ミラーアレイ４１１における第４反射領域４１１ｄによって反射された結像光を通過させる。第５フレア光規制通過孔４１３ｅは、反射ミラーアレイ４１１における第４反射領域４１１ｄ及び第６反射領域４１１ｆの第５反射領域４１１ｅとの境界部分で生じたフレア光がフレア光規制遮光部４１３Ａによって遮光された状態で、反射ミラーアレイ４１１における第５反射領域４１１ｅによって反射された結像光を通過させる。第６フレア光規制通過孔４１３ｆは、反射ミラーアレイ４１１における第５反射領域４１１ｅの第６反射領域４１１ｆとの境界部分で生じたフレア光がフレア光規制遮光部４１３Ａによって遮光された状態で、反射ミラーアレイ４１１における第６反射領域４１１ｆによって反射された結像光を通過させる。
【００５６】
フレア光規制絞り部４１３における第１乃至第６フレア光規制通過孔４１３ａ〜４１３ｆの各々を通過した光は、光束規制絞り部４１２に導かれる。光束規制絞り部４１２は、フレア光規制絞り部４１３における第１乃至第６フレア光規制通過孔４１３ａ〜４１３ｆの各々を通過した光の一部を光束規制遮光部４１２Ａによって遮光して、光束を規制する。そして、光束規制絞り部４１２において、第１光束規制通過孔４１２ａ、第２光束規制通過孔４１２ｂ、第３光束規制通過孔４１２ｃ、第４光束規制通過孔４１２ｄ、第５光束規制通過孔４１２ｅ及び第６光束規制通過孔４１２ｆは、それぞれ、フレア光規制絞り部４１３における第１乃至第６フレア光規制通過孔４１３ａ〜４１３ｆの各々を通過した光を通過させる。第１光束規制通過孔４１２ａ、第２光束規制通過孔４１２ｂ、第３光束規制通過孔４１２ｃ、第４光束規制通過孔４１２ｄ、第５光束規制通過孔４１２ｅ及び第６光束規制通過孔４１２ｆの各々を通過した光は、光電変換部５の受光面５１における第１乃至第６受光領域５１ａ〜５１ｆの各々に結像される。なお、光束規制絞り部４１２において、第１光束規制通過孔４１２ａ、第２光束規制通過孔４１２ｂ、第３光束規制通過孔４１２ｃ、第４光束規制通過孔４１２ｄ、第５光束規制通過孔４１２ｅ及び第６光束規制通過孔４１２ｆは、それぞれ、平面視の形状が円形状である。
【００５７】
以上のように構成される第２実施形態に係る画像読取装置１によれば、反射ミラーアレイ４１１から光電変換部５への結像光路上にフレア光規制絞り部４１３が配置されているので、反射ミラーアレイ４１１における一の反射領域と、当該一の反射領域に隣接した反射領域との境界部分で生じたフレア光をフレア光規制遮光部４１３Ａによって遮光することができる。そのため、当該一の反射領域に隣接した反射領域との境界部分で生じたフレア光が、光電変換部５の受光面５１における当該一の反射領域に対応した受光領域に入射することを規制することができる。その結果、光電変換部５の受光面５１における第１乃至第６受光領域５１ａ〜５１ｆの各々に結像される光学像に基づく読取り画像にフレア現象による画像ボケが発生することを抑止することができる。
【００５８】
光束規制絞り部４１２における第１乃至第６光束規制通過孔４１２ａ〜４１２ｆの各々の平面視の形状が円形状であるので、第１乃至第６光束規制通過孔４１２ａ〜４１２ｆの各々を通過した結像光のスポット形状は円形状となる。ただし、反射ミラーアレイ４１１における一の反射領域と当該一の反射領域に隣接した反射領域との境界部分に対応した結像光のスポット形状は、図９（Ｂ）に示すように、半円形状となる。反射ミラーアレイ４１１における一の反射領域と当該一の反射領域に隣接した反射領域との境界部分において、フレア光は、結像光における半円形状の弦に接する形で発生する。そのため、フレア光規制絞り部４１３における第１乃至第６フレア光規制通過孔４１３ａ〜４１３ｆの各々の平面視の形状を円形状に設定すると、フレア光の一部を通過させてしまうか、あるいは結像光の一部を遮光してしまう。そこで、フレア光規制絞り部４１３における第１乃至第６フレア光規制通過孔４１３ａ〜４１３ｆの各々の平面視の形状は、図６に示すように、長方形状であることが望ましい。これによって、反射ミラーアレイ４１１における一の反射領域と当該一の反射領域に隣接した反射領域との境界部分で生じたフレア光のみが遮光された状態で、結像光を通過させることができる。
【００５９】
また、上述の如く、反射ミラーアレイ４１１における一の反射領域と当該一の反射領域に隣接した反射領域との境界部分において、フレア光は、結像光における半円形状の弦に接する形で発生するので、結像光は遮光せずにフレア光のみを遮光するためには、反射ミラーアレイ４１１から光電変換部５への結像光路上におけるフレア光規制絞り部４１３の配置位置を高精度に設定する必要がある。図１０は、光学構造体４１におけるフレア光規制絞り部４１３の基準位置からのズレ量と基準結像光量に対する光量割合との関係を示すグラフである。
【００６０】
図１０のグラフから明らかなように、フレア光規制絞り部４１３が、基準位置（グラフの横軸におけるズレ量が「０」の位置）から「＋０．１ｍｍ」移動した位置（グラフの横軸におけるズレ量が「＋０．１」の位置）に配置されると、結像光の一部が遮光され、結像光の光量が２０％程度低下してしまう。また、フレア光規制絞り部４１３が、基準位置から「−０．１ｍｍ」移動した位置（グラフの横軸におけるズレ量が「−０．１」の位置）に配置されると、フレア光の一部が通過してしまう。従って、結像光は遮光せずにフレア光のみを遮光するためには、フレア光規制絞り部４１３の配置位置を高精度に設定する必要がある。
【００６１】
そこで、本実施形態では、光学構造体４１においてフレア光規制絞り部４１３は、光束規制絞り部４１２と一体に形成されていることが望ましい。更に、光学構造体４１において、光束規制絞り部４１２及びフレア光規制絞り部４１３と反射ミラーアレイ４１１とは、一体に形成されていることが望ましい。本実施形態では、光束規制絞り部４１２及びフレア光規制絞り部４１３は、図６及び図７に示すように、反射ミラーアレイ４１１の上面に、反射ミラーアレイ４１１と一体に形成されている。反射ミラーアレイ４１１、光束規制絞り部４１２及びフレア光規制絞り部４１３が一体に形成された光学構造体４１とすることによって、光電変換部５に光学像を結像させる光学系４において、反射ミラーアレイ４１１、光束規制絞り部４１２及びフレア光規制絞り部４１３の３者間の位置関係を高精度に保つことができるとともに、画像読取装置１の使用状況に応じて温度変化が生じた場合に、当該３者間で、熱膨張又は熱収縮の差異が生じることを抑止することができる。そのため、反射ミラーアレイ４１１、光束規制絞り部４１２及びフレア光規制絞り部４１３を含む光学構造体４１を備える光学系４において、光電変換部５に対する結像性能の劣化を抑止することができる。
【００６２】
以上、本発明の実施形態に係る画像読取装置１について説明したが、本発明はこれに限定されるものではなく、例えば次のような変形実施形態を採ることができる。
【００６３】
上記の実施形態においては、コンタクトガラス７の原稿載置面７１における画像読取領域に載置された原稿８に対して、光照射部３、光学系４及び光電変換部５が収容されたキャリッジ２を第１方向（副走査方向）に移動させ、原稿８からの反射光に基づき画像読取りを行う画像読取装置１の構成について説明した。本発明は、このような構成に限定されるものではなく、例えば、原稿８を第１方向（副走査方向）に搬送し、画像読取領域（原稿読み取り位置）を通過する原稿８からの反射光に基づき、光照射部３、光学系４及び光電変換部５にて画像読取りを行う構成の画像読取装置（以下、「画像読取装置１Ａ」と称する）であってもよい。
【００６４】
このような構成の画像読取装置１Ａは、上記のコンタクトガラス７を備えておらず、原稿８を第１方向に搬送する搬送機構を備える。そして、画像読取装置１Ａは、第１方向に移動可能な上記のキャリッジ２の代わりに固定的に配置された収容ケースを備え、この収容ケース内に光照射部３、光学系４及び光電変換部５が配置されている。
【００６５】
画像読取装置１Ａでは、搬送機構により第１方向に搬送され、画像読取領域を通過する原稿８に対して、光照射部３により光が照射される。そして、光照射部３により光が照射された原稿８からの反射光を光学系４が光電変換部５に結像し、その結像された光学像を光電変換部５が電気信号に変換する。このようにして、原稿８の画像を読み取ることができる。
【符号の説明】
【００６６】
１  画像読取装置
２  キャリッジ
３  光照射部
４  光学系
４１  光学構造体
４１１  反射ミラーアレイ（反射ミラー部）
４１１ａ  第１反射領域
４１１ｂ  第２反射領域
４１１ｃ  第３反射領域
４１１ｄ  第４反射領域
４１１ｅ  第５反射領域
４１１ｆ  第６反射領域
４１２  光束規制絞り部（絞り部）
４１２Ａ  光束規制遮光部
４１２ａ  第１光束規制通過孔（第１光通過孔）
４１２ｂ  第２光束規制通過孔（第２光通過孔）
４１２ｃ  第３光束規制通過孔
４１２ｄ  第４光束規制通過孔
４１２ｅ  第５光束規制通過孔
４１２ｆ  第６光束規制通過孔
４１３  フレア光規制絞り部
４１３Ａ  フレア光規制遮光部
４１３ａ  第１フレア光規制通過孔
４１３ｂ  第２フレア光規制通過孔
４１３ｃ  第３フレア光規制通過孔
４１３ｄ  第４フレア光規制通過孔
４１３ｅ  第５フレア光規制通過孔
４１３ｆ  第６フレア光規制通過孔
５  光電変換部
５１  受光面
５１ａ  第１受光領域
５１ｂ  第２受光領域
５１ｃ  第３受光領域
５１ｄ  第４受光領域
５１ｅ  第５受光領域
５１ｆ  第６受光領域
５２ａ  第１遮光壁
５２ｂ  第２遮光壁
５２ｃ  第３遮光壁
５２ｄ  第４遮光壁
５２ｅ  第５遮光壁
５２ｆ  第６遮光壁
５２ｇ  第７遮光壁
６  画像データ生成部
７  コンタクトガラス
７１  原稿載置面
【図１】
0006572828.tif 000002
【図２】
0006572828.tif 000003
【図３】
0006572828.tif 000004
【図４】
0006572828.tif 000005
【図５】
0006572828.tif 000006
【図６】
0006572828.tif 000007
【図７】
0006572828.tif 000008
【図８】
0006572828.tif 000009
【図９】
0006572828.tif 000010
【図１０】
0006572828.tif 000011